(57)【要約】【課題】専用電池使用時やＡＣアダプタ使用時に汎用電池の端子電圧測定を停止することにより電圧測定のための時間の削減を可能にした電圧測定装置および電圧測定方法を提供する。【解決手段】コントローラ４は、各接続検出手段による検出結果に基づいてＡＣアダプタ７０３が接続されていると判断した場合、汎用電池によるバッテリ７０２の電圧測定を行わずにＡＣアダプタ７０３の電圧測定のみを行う。また、コントローラ４は、各接続検出手段による検出結果に基づいて専用電池によるバッテリ７０１が使用されていると判断した場合、汎用電池によるバッテリ７０２の電圧測定を行わずにバッテリ７０１の電圧測定のみを行う。【選択図】        図５
2004347379.tif 000002
【特許請求の範囲】
【請求項１】
１つずつ装填可能で２つ以上の汎用電池を電源として電力を供給する汎用電源供給手段と、
外部直流電源との接続を行う外部電源接続手段と、
前記電源の端子電圧を測定する電圧測定手段と、
前記電圧測定手段により測定された端子電圧のうちの１つ以上が基準範囲外であった場合、該基準範囲外の端子電圧であった電源の電力供給動作を停止させる電源制御手段とを有し、
前記電圧測定手段は、
前記外部直流電源が接続された場合、前記２つ以上の汎用電池の端子電圧を測定せずに、前記外部直流電源の電圧のみを測定することを特徴とする電圧測定装置。
【請求項２】
前記汎用電池のみ接続されている場合、前記汎用電池を電源として選択し、前記外部直流電源が接続された場合、前記外部直流電源を優先的に電源として選択する電源選択手段を有することを特徴とする請求項１記載の電圧測定装置。
【請求項３】
１つの専用電池を電源として電力を供給する専用電池供給手段を有し、
前記電圧測定手段は、
前記専用電池が接続された場合、前記２つ以上の汎用電池の端子電圧を測定せずに、前記専用電池の端子電圧のみを測定することを特徴とする請求項１または２記載の電圧測定装置。
【請求項４】
１つの専用電池を電源として電力を供給する専用電池供給手段と、
１つずつ装填可能で２つ以上の汎用電池を電源として電力を供給する汎用電源供給手段と、
前記電源の端子電圧を測定する電圧測定手段と、
前記電圧測定手段により測定された端子電圧のうちの１つ以上が基準範囲外であった場合、該基準範囲外の端子電圧であった電源の電力供給動作を停止させる電源制御手段とを有し、
前記電圧測定手段は、
前記専用電池が接続された場合、前記２つ以上の汎用電池の端子電圧を測定せずに、前記専用電池の端子電圧のみを測定することを特徴とする電圧測定装置。
【請求項５】
外部直流電源との接続を行う外部電源接続手段を有し、
前記電圧測定手段は、
前記外部直流電源が接続された場合、前記２つ以上の汎用電池の端子電圧を測定せずに、前記外部直流電源の電圧のみを測定することを特徴とする請求項４記載の電圧測定装置。
【請求項６】
前記汎用電池のみ接続されている場合、前記汎用電池を電源として選択し、前記専用電池が接続された場合、前記専用電池を優先的に電源として選択する電源選択手段を有することを特徴とする請求項４または５記載の電圧測定装置。
【請求項７】
前記専用電源供給手段は、
リチウムイオン２次電池を電源として電力を供給することを特徴とする請求項３から６のいずれか１項に記載の電圧測定装置。
【請求項８】
前記汎用電源供給手段は、
２つ以上の単三電池を電源として電力を供給することを特徴とする請求項１から７のいずれか１項に記載の電圧測定装置。
【請求項９】
自装置の筐体は、防水または密閉構造であることを特徴とする請求項１から８のいずれか１項に電圧測定装置。
【請求項１０】
デジタルカメラであることを特徴とする請求項１から９のいずれか１項に記載の電圧測定装置。
【請求項１１】
自装置の電源を測定する電圧測定装置を用いた電圧測定方法であって、
前記電圧測定装置が、１つずつ装填可能で２つ以上の汎用電池を電源として電力を供給する汎用電源供給工程と、
前記電圧測定装置が、外部直流電源との接続を行う外部電源接続工程と、
前記電圧測定装置が、前記電源の端子電圧を測定する電圧測定工程と、
前記電圧測定装置が、前記電圧測定工程により測定した端子電圧のうちの１つ以上が基準範囲外であった場合、該基準範囲外の端子電圧であった電源の電力供給動作を停止させる電源制御工程とを有し、
前記電圧測定工程は、
前記外部直流電源が接続された場合、前記電圧測定装置が、前記２つ以上の汎用電池の端子電圧を測定せずに、前記外部直流電源の電圧のみを測定することを特徴とする電圧測定方法。
【請求項１２】
前記汎用電池のみ接続されている場合、前記電圧測定装置が、前記汎用電池を電源として選択し、前記外部直流電源が接続された場合、前記外部直流電源を優先的に電源として選択する電源選択工程を有することを特徴とする請求項１１記載の電圧測定方法。
【請求項１３】
前記電圧測定装置が、１つの専用電池を電源として電力を供給する専用電池供給工程を有し、
前記電圧測定工程は、
前記専用電池が接続された場合、前記電圧測定装置が、前記２つ以上の汎用電池の端子電圧を測定せずに、前記専用電池の端子電圧のみを測定することを特徴とする請求項１１または１２記載の電圧測定方法。
【請求項１４】
自装置の電源を測定する電圧測定装置を用いた電圧測定方法であって、
前記電圧測定装置が、１つの専用電池を電源として電力を供給する専用電池供給工程と、
前記電圧測定装置が、１つずつ装填可能で２つ以上の汎用電池を電源として電力を供給する汎用電源供給工程と、
前記電圧測定装置が、前記電源の端子電圧を測定する電圧測定工程と、
前記電圧測定装置が、前記電圧測定工程により測定した端子電圧のうちの１つ以上が基準範囲外であった場合、該基準範囲外の端子電圧であった電源の電力供給動作を停止させる電源制御工程とを有し、
前記電圧測定工程は、
前記電圧測定装置が、前記専用電池が接続された場合、前記２つ以上の汎用電池の端子電圧を測定せずに、前記専用電池の端子電圧のみを測定することを特徴とする電圧測定方法。
【請求項１５】
前記電圧測定装置が、外部直流電源との接続を行う外部電源接続工程を有し、
前記電圧測定工程は、
前記外部直流電源が接続された場合、前記電圧測定装置が、前記２つ以上の汎用電池の端子電圧を測定せずに、前記外部直流電源の電圧のみを測定することを特徴とする請求項１４記載の電圧測定方法。
【請求項１６】
前記汎用電池のみ接続されている場合、前記電圧測定装置が、前記汎用電池を電源として選択し、前記専用電池が接続された場合、前記専用電池を優先的に電源として選択する電源選択工程を有することを特徴とする請求項１４または１５記載の電圧測定方法。
【発明の詳細な説明】
【０００１】
【発明の属する技術分野】
本発明は、電圧測定装置および電圧測定方法に関し、特に専用／汎用電池および外部直流電源を電源とし、その電源の電圧を計測する電圧測定装置および電圧測定方法に関する。
【０００２】
【従来の技術】
デジタルカメラなどの電気機器においては、様々な電池が用いられているが、大きく分けると専用電池を使用する機種と汎用電池を使用する機種とに大別できる。
【０００３】
例えば専用電池としてリチウムイオン２次電池などを使用する場合は、その動作は十分把握されていて、なおかつ電池の端子形状は他の電池が接続されない形状となっているので異種電池の誤挿入や過放電動作で電池自身を劣化させる等の不具合は起き難い。電池自身もパックとなっているので複数本同時に挿入してアンバランスが起きる等はやはり起き難い。
【０００４】
一方、汎用電池（例えば単三アルカリ電池）を複数本用いる機種では、ユーザの誤使用例えば新品電池と終止電池の混用、アルカリ電池と２次電池の混用等により電池同士で他方への異常な充電の不具合が考えられる。
あるいは２次電池では、複数電池を充電器の同時充電を行ってもたまたま充電器のセットの方法の間違いで片方は正常充電、もう片方は未充電ではデジタルカメラ使用時に未充電電池が過放電となり、電池の劣化や特にニッケル水素電池では過放電により可燃性のガス放出の可能性があった。
【０００５】
上記のような専用電池および汎用電池の不具合を解決する従来技術として、特許文献１が開示するところの電池テスタおよび特許文献２が開示するところの電池チェック装置があった。
【０００６】
【特許文献１】
実開平５−３８５７８号公報
【特許文献２】
特開２００２−７５３８７号公報
【０００７】
【発明が解決しようとする課題】
しかしながら、特許文献１では電池単体の測定方法が提示されているが、上記複数電池については考慮されていなかった。
【０００８】
また、特許文献２では複数電池それぞれの電圧を測定して上記不具合時は動作を停止する方法が提示されていた。しかしながら、最近は前記汎用電池と専用電池のどちらか一方の選択使用可能な電気機器および単独でＡＣアダプタを装着可能な電気機器がある。
特許文献２では汎用電池のみが考慮されていて、専用電池やＡＣアダプタが装着されても汎用電池の端子電圧の測定を行うと、その測定時間分だけ処理が遅れてしまう。
あるいは通常ＡＣアダプタ使用時は電池寿命を延ばすためにＡＣアダプタが優先使用となりその時でも汎用電池の各電圧を測定しても、時間がかかる。特に汎用電池と専用電池のどちらか一方の選択使用可能な電気機器では、時間だけでなく端子がオープンのために間違ったデータにより誤動作の可能性すらある。また、動作時間が短くなることにより電池について省電力となる。
【０００９】
本発明は、上記問題点に鑑みてなされたものであり、専用電池使用時やＡＣアダプタ使用時に汎用電池の端子電圧測定を停止することにより電圧測定のための時間の削減を可能にした電圧測定装置および電圧測定方法を提供することを目的とする。
【００１０】
【課題を解決するための手段】
かかる目的を達成するため、本発明は、１つずつ装填可能で２つ以上の汎用電池を電源として電力を供給する汎用電源供給手段と、外部直流電源との接続を行う外部電源接続手段と、電源の端子電圧を測定する電圧測定手段と、電圧測定手段により測定された端子電圧のうちの１つ以上が基準範囲外であった場合、基準範囲外の端子電圧であった電源の電力供給動作を停止させる電源制御手段とを有し、電圧測定手段は、外部直流電源が接続された場合、２つ以上の汎用電池の端子電圧を測定せずに、外部直流電源の電圧のみを測定することを特徴とする。
【００１１】
また、本発明によれば、汎用電池のみ接続されている場合、汎用電池を電源として選択し、外部直流電源が接続された場合、外部直流電源を優先的に電源として選択する電源選択手段を有することを特徴とする。
【００１２】
また、本発明によれば、１つの専用電池を電源として電力を供給する専用電池供給手段を有し、電圧測定手段は、専用電池が接続された場合、２つ以上の汎用電池の端子電圧を測定せずに、専用電池の端子電圧のみを測定することを特徴とする。
【００１３】
また、本発明によれば、１つの専用電池を電源として電力を供給する専用電池供給手段と、１つずつ装填可能で２つ以上の汎用電池を電源として電力を供給する汎用電源供給手段と、電源の端子電圧を測定する電圧測定手段と、電圧測定手段により測定された端子電圧のうちの１つ以上が基準範囲外であった場合、基準範囲外の端子電圧であった電源の電力供給動作を停止させる電源制御手段とを有し、電圧測定手段は、専用電池が接続された場合、２つ以上の汎用電池の端子電圧を測定せずに、専用電池の端子電圧のみを測定することを特徴とする。
【００１４】
また、本発明によれば、外部直流電源との接続を行う外部電源接続手段を有し、電圧測定手段は、外部直流電源が接続された場合、２つ以上の汎用電池の端子電圧を測定せずに、外部直流電源の電圧のみを測定することを特徴とする。
【００１５】
また、本発明によれば、汎用電池のみ接続されている場合、汎用電池を電源として選択し、専用電池が接続された場合、専用電池を優先的に電源として選択する電源選択手段を有することを特徴とする。
【００１６】
また、本発明によれば、専用電源供給手段は、リチウムイオン２次電池を電源として電力を供給することを特徴とする。
【００１７】
また、本発明によれば、汎用電源供給手段は、２つ以上の単三電池を電源として電力を供給することを特徴とする。
【００１８】
また、本発明によれば、自装置の筐体は、防水または密閉構造であることを特徴とする。
【００１９】
また、本発明によれば、デジタルカメラであることを特徴とする。
【００２０】
また、本発明によれば、自装置の電源を測定する電圧測定装置を用いた電圧測定方法であって、電圧測定装置が、１つずつ装填可能で２つ以上の汎用電池を電源として電力を供給する汎用電源供給工程と、電圧測定装置が、外部直流電源との接続を行う外部電源接続工程と、電圧測定装置が、電源の端子電圧を測定する電圧測定工程と、電圧測定装置が、電圧測定工程により測定した端子電圧のうちの１つ以上が基準範囲外であった場合、基準範囲外の端子電圧であった電源の電力供給動作を停止させる電源制御工程とを有し、電圧測定工程は、外部直流電源が接続された場合、電圧測定装置が、２つ以上の汎用電池の端子電圧を測定せずに、外部直流電源の電圧のみを測定することを特徴とする。
【００２１】
また、本発明によれば、汎用電池のみ接続されている場合、電圧測定装置が、汎用電池を電源として選択し、外部直流電源が接続された場合、外部直流電源を優先的に電源として選択する電源選択工程を有することを特徴とする。
【００２２】
また、本発明によれば、電圧測定装置が、１つの専用電池を電源として電力を供給する専用電池供給工程を有し、電圧測定工程は、専用電池が接続された場合、電圧測定装置が、２つ以上の汎用電池の端子電圧を測定せずに、専用電池の端子電圧のみを測定することを特徴とする。
【００２３】
また、本発明によれば、自装置の電源を測定する電圧測定装置を用いた電圧測定方法であって、電圧測定装置が、１つの専用電池を電源として電力を供給する専用電池供給工程と、電圧測定装置が、１つずつ装填可能で２つ以上の汎用電池を電源として電力を供給する汎用電源供給工程と、電圧測定装置が、電源の端子電圧を測定する電圧測定工程と、電圧測定装置が、電圧測定工程により測定した端子電圧のうちの１つ以上が基準範囲外であった場合、基準範囲外の端子電圧であった電源の電力供給動作を停止させる電源制御工程とを有し、電圧測定工程は、電圧測定装置が、専用電池が接続された場合、２つ以上の汎用電池の端子電圧を測定せずに、専用電池の端子電圧のみを測定することを特徴とする。
【００２４】
また、本発明によれば、電圧測定装置が、外部直流電源との接続を行う外部電源接続工程を有し、電圧測定工程は、外部直流電源が接続された場合、電圧測定装置が、２つ以上の汎用電池の端子電圧を測定せずに、外部直流電源の電圧のみを測定することを特徴とする。
【００２５】
また、本発明によれば、汎用電池のみ接続されている場合、電圧測定装置が、汎用電池を電源として選択し、専用電池が接続された場合、専用電池を優先的に電源として選択する電源選択工程を有することを特徴とする。
【００２６】
【発明の実施の形態】
図１は、本発明の一実施形態における電圧測定部の構成を示す図である。以下、図１を用いて、本実施形態における電圧測定部の構成について説明する。
【００２７】
図１に示されているように、電圧測定部は、専用電池ＢＡＴＴ１と、汎用電池ＢＡＴＴ２と、外部直流電源ＤＣＩＮと、ＤＣ／ＤＣコンバータ７と、接続検出手段１１〜１３と、コントローラ電源３１〜３３と、電力スイッチ６１〜６３とを有する。
なお、「コントローラ電源」とは、電気機器全体を制御するコントローラへ電力を供給する電源である。
【００２８】
本実施形態では、図１の電圧測定部を含む電気機器全体は、電源として、専用電池ＢＡＴＴ１（例えばリチウムイオン２次電池）と、汎用電池ＢＡＴＴ２（例えば単三電池を複数使用）と、外部直流電源ＤＣＩＮ（例えばＡＣアダプタ入力）とを備えている。
【００２９】
専用電池ＢＡＴＴ１には、電池電圧測定点４１において接続検出手段１１が接続され、コントローラ電源３１とＡ／Ｄ用スイッチ端子２１へ分岐している。さらに電力スイッチ６１を構成するゲート電圧設定抵抗Ｒ１、Ｒ２、ｐ−ｃｈＭＯＳＦＥＴＱ１、複合トランジスタＱ２のブロックを介して、ＤＣ／ＤＣコンバータ７に接続される。
【００３０】
ＤＣ／ＤＣコンバータ７はシステムの各電源に必要な電圧と電力を供給する。また、ＤＣ／ＤＣコンバータ７は、同時に後述のコントローラ電源３４に接続される。また、ＤＣ／ＤＣコンバータ７は、コントローラの出力端子により制御される。
【００３１】
電力スイッチ６１は、ｐ−ｃｈＭＯＳＦＥＴＱ１と、ゲート電圧設定抵抗Ｒ１、Ｒ２と、ｐ−ｃｈＭＯＳＦＥＴＱ１をＯＮする複合トランジスタＱ２とから構成される。
複合トランジスタＱ２は、後述のコントローラ出力端子により制御される。なお、電力スイッチ６１の構成はこれに限らず、ｐ−ｃｈＭＯＳＦＥＴＱ１をトランジスタに変更したり、複合トランジスタＱ２をトランジスタと各抵抗に分解したり、複合トランジスタＱ２をＦＥＴで置き換えても良い。専用電池ＢＡＴＴ１よりも高い電圧がｐ−ｃｈＭＯＳＦＥＴＱ１のゲートに供給できるのあればｐ−ｃｈＭＯＳのかわりにｎ−ｃｈＭＯＳを用いても良い。
【００３２】
同様に、汎用電池ＢＡＴＴ２には、各電池電圧測定点４２〜４５と、接続検出手段１２と、コントローラ電源３２と、ｐ−ｃｈＭＯＳＦＥＴＱ３、ゲート電圧設定抵抗Ｒ３、Ｒ４、複合トランジスタＱ４から構成される電力スイッチ６２と、が接続される。
汎用電池ＢＡＴＴ２には、電池電圧測定点４２において接続検出手段１２が接続され、コントローラ電源３２とＡ／Ｄ用スイッチ端子２２へ分岐している。
また、図１では、汎用電池ＢＡＴＴ２は、４個の汎用の電池が直列に接続されてなっており、接地されている電池から順に汎用電池２Ａ、２Ｂ、２Ｃ、２Ｄとする。このとき、それぞれ汎用電池２Ａ、２Ｂ間の電池電圧測定点４５はＡ／Ｄ用スイッチ端子２５に接続され、汎用電池２Ｂ、２Ｃ間の電池電圧測定点４４はＡ／Ｄ用スイッチ端子２４に接続され、汎用電池２Ｃ、２Ｄ間の電池電圧測定点４３はＡ／Ｄ用スイッチ端子２３に接続される。
なお、汎用電池ＢＡＴＴ２において直列接続される電池の数は、２以上の他の数であってもよい。
【００３３】
外部直流電源ＤＣＩＮには、電池電圧測定点４６と、接続検出手段１３と、コントローラ電源３３と、ｐ−ｃｈＭＯＳＦＥＴＱ５と、ゲート電圧設定抵抗Ｒ５、Ｒ６と、複合トランジスタＱ６とから構成される電力スイッチ６３とが接続される。
【００３４】
ここで、電圧測定部に専用電池ＢＡＴＴ１のみ接続されている場合（汎用電池ＢＡＴＴ２、外部直流電源ＤＣＩＮが接続されていない場合）は、後述する電源スイッチがＯＮされると、コントローラから複合トランジスタＱ２へＨ信号が入力されてｐ−ｃｈＭＯＳＦＥＴＱ１がＯＮする。さらにＤＣ／ＤＣコンバータ７に電力が供給されて、コントローラ端子によりＶｏｕｔとして各負荷へ電力が供給されると同時に、コントローラ電源３４が供給されてコントローラ電源３１と置き換わる。置き換わりについて後述する。
【００３５】
図２は、本発明の一実施形態におけるＡ／Ｄ用スイッチ端子の構成を示す図である。以下、図２を用いて、本発明の一実施形態におけるＡ／Ｄ用スイッチ端子について説明する。
【００３６】
電池電圧測定点４１〜４６のラインがそれぞれＡ／Ｄ用スイッチ端子２１〜２６に入力され、その各電池電圧測定点４１〜４６がＡ／Ｄ用スイッチ端子２１〜２６にそれぞれ接続される。
例えば、Ａ／Ｄ用スイッチ端子２１はｐ−ｃｈＭＯＳＦＥＴＱ７とゲート電圧設定抵抗Ｒ７、Ｒ８制御用複合トランジスタＱ８から構成される。他のＡ／Ｄ用スイッチ端子２２〜２６の構成もＡ／Ｄ用スイッチ端子２１と同様であるとする。なお、Ａ／Ｄ用スイッチ端子２１〜２６は、前述の電力スイッチ６１〜６３と同様の変更を行っても良い。
【００３７】
各Ａ／Ｄ用スイッチ端子２１〜２６の出力は合流し、分圧抵抗Ｒ１１、Ｒ１２を介してコントローラ内蔵のＡ／Ｄ変換器への入力端子へ接続される。なお、図２では、各電池電圧の測定を１ｃｈのみで済ます構成となっているが、コントローラのＡ／Ｄ入力端子により２ｃｈ以上あるいは全ｃｈとすればこのＡ／Ｄ用スイッチ端子２１〜２６の幾つかは省略できる。また、分圧抵抗Ｒ１１、Ｒ１２もコントローラの電源電圧等により省略することも可能である。
なお、Ａ／Ｄ（Ａ／Ｄ変換器）は必ずしもコントローラに内蔵する必要はなく、外付けのＡ／Ｄ変換器でも良い。
【００３８】
図３は、本発明の一実施形態におけるＡ／Ｄ用スイッチ端子の他の構成を示す図である。以下、図３を用いて、Ａ／Ｄ用スイッチ端子の他の構成について説明する。
【００３９】
図３に示されるＡ／Ｄ用スイッチ端子の基本動作は、図２に示されるＡ／Ｄ用スイッチ端子と同様であるが、図３に示される他の例におけるＡ／Ｄ用スイッチ端子は、ｐ−ｃｈＦＥＴのかわりにＰＮＰトランジスタを使用する。
【００４０】
図３に示されているように、Ａ／Ｄ用スイッチ端子２１は、ＰＮＰトランジスタＱ１１と、ＰＮＰトランジスタＱ１１のベース電圧を設定する抵抗Ｒ１３、Ｒ１４と、ＰＮＰトランジスタＱ１１のベース電圧を制御する複合トランジスタＱ１２とにより構成される。また、複合トランジスタＱ１２は、コントローラのオープンドレイン端子に接続すれば省略できる。
他のＡ／Ｄ用スイッチ端子２２〜２６の構成もＡ／Ｄ用スイッチ端子２１と同様であるとする。
【００４１】
なお、図３に示される各Ａ／Ｄ用スイッチ端子の動作は、図２に示されるＡ／Ｄ用スイッチ端子と同様なので省略する。
【００４２】
図４は、本発明の一実施形態におけるシステム電源の構成を示す図である。以下、図４を用いて、本実施形態におけるシステム電源について説明する。システム電源とは、電気機器全体を動作させるための電源である。
【００４３】
システム電源は、リニアレギュレータＲＥＧ１〜ＲＥＧ３を有する。各コントローラ電源３１〜３４は、リニアレギュレータＲＥＧ１〜ＲＥＧ３を介し、ダイオードＯＲ回路Ｄｉ１〜Ｄｉ４を経由してコントローラの電源端子に電力を供給する。
【００４４】
ここで、専用電池ＢＡＴＴ１のみが電圧測定部に接続されると、リニアレギュレータＲＥＧ１によりレベルダウンと同時に安定化されてＤｉ１を通ってコントローラの電源端子に電力を供給する。
接続検出手段１１は、コントローラが専用電池ＢＡＴＴ１を認識してｐ−ｃｈＭＯＳＦＥＴＱ１をＯＮしてＤＣ／ＤＣコンバータ７を動作させると、コントローラ電源３４に電圧が発生する。この電圧はリニアレギュレータＲＥＧ１〜ＲＥＧ３の電圧よりも高く設定して、ＤＣ／ＤＣコンバータ７動作後のコントローラへ供給される電源の安定化を図る。また、電機機器全体の各負荷へ電力が供給される。
なお、リニアレギュレータＲＥＧ１〜３は必要に応じて設けられるもので、必要でなければ省略しても良い。
【００４５】
図５は、本発明の一実施形態における電気機器の全体構成を示す図である。図５では、電気機器を、一例として、デジタルカメラ１とした場合について示されている。
【００４６】
図５に示されているように、デジタルカメラ１は、レンズ系２と、メカ機構２０３と、フォーカスモータ２０４と、ズームモータ２０５と、絞りモータ２０６と、フォーカスモータドライバ２０７と、ズームモータドライバ２０８と、絞りモータドライバ２０９と、シャッタモータ２１０と、シャッタモータドライバ２１１と、ＴＧ部（Ｔｉｍｉｎｇ  Ｇｅｎｅｒａｔｏｒ）３０１と、ＣＣＤ（電荷結合素子）３０２と、ＣＤＳ（相関２重サンプリング）回路３０３と、可変利得増幅器（ＡＧＣアンプ）３０４と、Ａ／Ｄ変換器３０５と、ＩＰＰ（ＩｍａｇｅＰｒｅ−Ｐｒｏｃｅｓｓｏｒ）３０６と、ＤＣＴ（Ｄｉｓｃｒｅｔｅ  Ｃｏｓｉｎｅ  Ｔｒａｎｓｆｏｒｍ）３０８と、コーダ（Ｈｕｆｆｍａｎ  Ｅｎｃｏｄｅｒ／Ｄｅｃｏｄｅｒ）３０９と、ＭＣＣ（Ｍｅｍｏｒｙ  Ｃａｒｄ  Ｃｏｎｔｒｏｌｌｅｒ）３１０と、ＲＡＭ（内部メモリ）３０７と、カードインタフェース３１１と、ＰＣカード（メモリーカード等含む）３１２と、コントローラ（ＣＰＵ）４と、フラッシュメモリ（ＥＥＰＲＯＭ）４０１と、コントローラ用Ａ／Ｄ変換器４０２と、コントローラ用Ｄ／Ａ変換器４０３と、システムバスライン４０４と、ＬＣＤ表示部６０２と、補助光ランプ６０３と、補助光ランプ駆動回路６０４と、ＬＣＤドライバ回路６０１と、ストロボ回路５と、ＤＣ／ＤＣコンバータ７と、バッテリ７０１、７０２と、ＡＣアダプタ７０３と、操作部９と、レリーズスイッチ９０１と、モード入力手段９０２と、音声アンプ部８と、マイク８０１と、スピーカ８０２と、イヤホン８０３と、振動モータドライバ１００１と、振動モータ１００２と、を有する。
【００４７】
レンズユニットは、レンズ系２と、絞り・フィルタ部等を含むメカ機構２０３とからなる。また、レンズ系２は、例えばバリフォーカルレンズからなり、フォーカスレンズ系２０１と、ズームレンズ系２０２とを有する。
メカ機構２０３のメカニカルシャッタは、２つのフィールドの露光を行う。また、図５では露光手段としてシャッタ機構も別に図示しているが、メカ機構２０３はシャッタ機構も兼用するとしてもよい。
【００４８】
フォーカスモータドライバ２０７は、コントローラ４から供給される制御信号にしたがって、フォーカスモータドライバ２０７を駆動してフォーカスレンズ系２０１を光軸方向に移動させる。
【００４９】
ズームモータドライバ２０８は、コントロ−ラ４から供給される制御信号にしたがってズームモータ２０５を駆動して、ズームレンズ系２０２を光軸方向に移動させる。
【００５０】
絞りモータドライバ２０９は、コントローラ４から供給される制御信号にしたがってメカ機構２０３を駆動し、例えば絞りの絞り値を設定する。
【００５１】
ＣＣＤ（電荷結合素子）３０２は、レンズユニットを介して入力した映像を電気信号（アナログ画像データ）に変換する。
【００５２】
ＣＤＳ（相関２重サンプリング）回路３０３は、ＣＣＤ型撮像素子に対する低雑音化のための回路である。
【００５３】
ＡＧＣアンプ３０４は、ＣＤＳ回路３０３で相関２重サンプリングされた信号のレベルを補正する。なお、ＡＧＣアンプ３０４が内蔵するＤ／Ａ変換器を介して設定データ（コントロール電圧）がＡＧＣアンプ３０４に設定される。
【００５４】
Ａ／Ｄ変換器３０５は、ＡＧＣアンプ３０４を介して入力したＣＣＤ３０２からのアナログ画像データをデジタル画像データに変換する。すなわち、ＣＣＤ３０２の出力信号は、ＣＤＳ回路３０３およびＡＧＣアンプ３０４を介し、Ａ／Ｄ変換器３０５により、最適なサンプリング周波数（例えばＮＴＳＣ信号のサブキャリア周波数の整数倍）にてデジタル信号に変換される。
【００５５】
デジタル信号処理部であるＩＰＰ（ＩｍａｇｅＰｒｅ−Ｐｒｏｃｅｓｓｏｒ）３０６、ＤＣＴ（Ｄｉｓｃｒｅｔｅ  Ｃｏｓｉｎｅ  Ｔｒａｎｓｆｏｒｍ）３０８、およびコーダ（Ｈｕｆｆｍａｎ  Ｅｎｃｏｄｅｒ／Ｄｅｃｏｄｅｒ）３０９は、Ａ／Ｄ変換器３０５から入力したデジタル画像データについて色差（Ｃｂ、Ｃｒ）と輝度（Ｙ）に分けて各種処理、補正及び画像圧縮／伸長のためのデータ処理を施す。
【００５６】
ＤＣＴ３０８は、例えばＪＰＥＧ準拠の画像圧縮・伸長の一過程である直交変換・逆直交変換を行う。
【００５７】
コーダ３０９は、ＪＰＥＧ準拠の画像圧縮・伸長の一過程であるハフマン符号化・復号化等を行う。
【００５８】
ＩＰＰ３０６は、Ｇ画像データの輝度データ（Ｙ）を検出し、検出した輝度データ（Ｙ）に応じたＡＥ評価値をコントローラ４に出力する。このＡＥ評価値は被写体の輝度（明るさ）を示すものである。
また、ＩＰＰ３０６は、設定された色温度範囲内で、Ｒ、Ｇ、Ｂ画像データの各輝度データ（Ｙ）に応じたＡＷＢ（Ａｕｔｏ  Ｗｈｉｔｅ  Ｂａｌａｎｃｅ）評価値を各々コントローラ４に出力する。このＡＷＢ評価値は被写体の色成分を示すものである。
【００５９】
ＭＣＣ（Ｍｅｍｏｒｙ  Ｃａｒｄ  Ｃｏｎｔｒｏｌｌｅｒ）３１０は、圧縮処理された画像を一旦蓄えてＰＣカードインタフェース３１１を介してＰＣカード３１２への記録またはＰＣカード３１２からの読み出しを行う。
【００６０】
外部通信用ドライバ３１３は、例えばＵＳＢ、ＩＥＥＥ１３９４等の規格の通信プロトコルにて外部のユニットと通信を行う。外部通信用ドライバ３１３は、ＰＣ（パーソナルコンピュータ）１００３等と接続してデータのやりとりを行う。また、外部通信用ドライバ３１３は、デジタルカメラ１と接続可能な通信・電源アダプタ１００４を介してＰＣ１００３およびＡＣアダプタ７０３を接続可能にして、電力や通信のやりとりを可能にする。
【００６１】
ＬＣＤ表示部６０２は透過型ＬＣＤからなり、画像データや操作メニュー等が表示される。
【００６２】
補助光ランプ６０３は、ＬＣＤ表示部６０２を照明するためのバックライトであり、例えば蛍光管、あるいは白色ＬＥＤからなる。
【００６３】
補助光ランプ駆動回路６０４は、コントローラ４の制御に基づき、補助光ランプ６０３に駆動電力を出力して補助光ランプ６０３を点灯させる。
【００６４】
ＬＣＤドライバ回路６０４は、ＩＰＰ３０６から入力される画像データをＬＣＤ表示部６０２に表示させるための回路である。
【００６５】
操作部９は、撮影の指示を行うためのレリーズスイッチ９０１と、モード入力手段９０２と、電源スイッチと、ＬＣＤスイッチと、補助光ランプスイッチと、機能選択およびその他の各種設定を外部から行うためのボタン等とを備えている。
なお、モード入力手段９０２は、例えば、「音声記録モード」、「静止画記録」、および「動画記録」などの各モードを選択する際に操作される。
【００６６】
ストロボ回路５は、コントローラ４の制御によりストロボ光を発する。
【００６７】
バッテリ７０１、７０２は、例えば、ニッケル水素電池、リチウムイオン電池、ニッカド（ＮｉＣｄ）電池、アルカリ電池等からなり、デジタルカメラ１の内部に電源電圧を供給する。バッテリ７０１、７０２には、ＤＣ／ＤＣコンバータ７を介して、ＡＣアダプタ７０３の電源電圧が供給されるとしてもよい。
なお、バッテリ７０１、７０２は、それぞれ図１に示される専用電池ＢＡＴＴ１、汎用電池ＢＡＴＴ２であるとしてもよい。また、ＡＣアダプタ７０３は、図１に示される外部直流電源ＤＣＩＮであるとしてもよい。
【００６８】
ＤＣ／ＤＣコンバータ７は、コントローラ４の制御により、デジタルカメラ１内部に出力する各種電源をＯＮ／ＯＦＦするスイッチ回路を内蔵する。
【００６９】
コントローラ４は、ＣＰＵ、ＲＯＭ、ＲＡＭ、Ａ／Ｄ変換器４０２、およびＤ／Ａ変換器４０３等からなる。コントローラ４では、ＣＰＵは操作部９からの指示または図示しないリモコン等の外部動作指示に従い、ＲＯＭに格納された制御プログラムに従ってＲＡＭをワークエリアとして使用して、デジタルカメラ１の装置全体の制御を行う。
なお、Ａ／Ｄ変換器４０２およびＤ／Ａ変換器４０３は、コントローラ４の外部に設けるとしてもよい。
【００７０】
具体的には、コントローラ４は、撮影動作、自動露出（ＡＥ）動作、自動ホワイトバランス（ＡＷＢ）調整動作、ＡＦ動作、および表示等の制御を行う。
【００７１】
また、コントローラ４は、各種制御のための情報入力手段の一つとして内蔵のＡ／Ｄ変換器４０２を用いてアナログ情報の把握を行う。
コントローラ４は、Ａ／Ｄ変換器４０２により入力された各電源電圧の電圧値と基準電圧値との比較を行い、入力された電圧値と基準電圧値との差が所定範囲内であるか否かを判断する。このとき、コントローラ４は、入力電圧値と基準電圧値との差が所定範囲内である場合、「正常」と判断し、その所定範囲から外れると「異常」と判断する。
また、２以上の汎用電池を用いた電源（汎用電池ＢＡＴＴ２）においては、コントローラ４は、Ａ／Ｄ変換器４０２により入力された各汎用電池の電圧値を比較し、その電圧値間の差が所定範囲内であれば「正常」と判断し、その所定範囲から外れると「異常」と判断する。
【００７２】
一方、コントローラ４において、Ｄ／Ａ変換器４０３はアナログ出力を行う。
例えばＩＰＰ３０６とコントローラ４との制御、データのやりとりはシステムバス４０４を介して行われる。
【００７３】
また、コントローラ４は、被写体を撮像して得られる画像データをＰＣカード３１２に記録する記録モードと、ＰＣカード３１２に記録された画像データをＬＣＤ表示部６０２に再生して表示する再生モードと、撮像したモニタリング画像をＬＣＤ表示部６０２に直接表示するモニタリングモード等とを備えている。また、再生モードやモニタリングモードでＬＣＤ表示部６０２に画像を表示する場合の表示モードとしては、固定モードおよび外光適応モードを備えており、これらのモードの選択は操作部９で行われる。
【００７４】
また、コントローラ４は、接続されている接続検出手段１１〜１３からの入力により、バッテリ７０１、７０２、ＡＣアダプタ７０３の各電源とデジタルカメラ１が接続されているか否かを判定する。
コントローラ４は、接続されている電源のうち、ＡＣアダプタ７０３、バッテリ７０１（専用電池ＢＡＴＴ１）、バッテリ７０２（汎用電池ＢＡＴＴ２）の順に優先的に電源を選択する。
例えば、汎用電池ＢＡＴＴ２が接続されている場合、コントローラ４は、電源として汎用電池ＢＡＴＴ２を選択する。また、汎用電池ＢＡＴＴ２およびＡＣアダプタ７０３が接続されている場合、コントローラ４は、電源としてＡＣアダプタ７０３を選択する。さらに、専用電池ＢＡＴＴ１および汎用電池ＢＡＴＴ２が接続されている場合、コントローラ４は、電源として専用電池ＢＡＴＴ１を選択する。
【００７５】
フラッシュメモリ４０１には、デジタルカメラの各種パラメータやデータが記録されている。
【００７６】
タイミングジェネレータ（ＴＧ）３０１は、ＩＰＰ３０６から入力される水平同期信号及び垂直同期信号に基づいて、各種タイミング信号を生成する。
【００７７】
音声アンプ部８は、Ｄ／Ａ変換器４０３から入力されたアナログ信号を増幅し、スピーカ８０２およびイヤホン８０３へ出力する。スピーカ８０２およびイヤホン８０３は、音声を出力する。なお、音声出力手段としてはスピーカ８０２のかわりにコントローラ４の図示しない出力よりブザーを使用する方法も可能である。
また、音声アンプ部８は、マイク８０１から入力された音声信号（アナログ信号）を増幅してＡ／Ｄ変換器４０２へ入力する。
【００７８】
振動モータ１００２は、警告表示手段の一手段である。振動モータドライバ１００１は、コントローラ４からの制御信号により動作し、振動モータ１００２を駆動して、振動モータ１００２の振動により警告表示を行う。
【００７９】
また、デジタルカメラ１は、筐体が防水または密閉構造となっているとしてよい。
【００８０】
図６および図７は、本発明の一実施形態におけるデジタルカメラ１による動作の流れを示す図である。以下、図６および図７に沿って、本実施形態におけるデジタルカメラ１による動作について説明する。
【００８１】
まず、電源スイッチがＯＮされ、コントローラ４は電源ＯＮを認識すると（ステップＳ１０１）、接続検出手段を優先順位に応じて動作させる（ステップＳ１０２）。
本実施形態では、優先順位をＡＣアダプタ（外部直流電源ＤＣＩＮ）、専用電池ＢＡＴＴ１、汎用電池ＢＡＴＴ２の順とする。なお、電池の種類やＡＣアダプタの有無により上記の優先順位の設定は変更されるとしてよい。
ステップＳ１０２では上記の優先順位の設定に基づいて、コントローラ４は、ＡＣアダプタに接続されている接続検出手段１３を動作させる。
【００８２】
次に、コントローラ４は、ＡＣアダプタが接続されているか否かを判断する（ステップＳ１０３）。
【００８３】
ＡＣアダプタが接続されていれば（ステップＳ１０３／Ｙｅｓ）、コントローラ４は、途中からＡＣアダプタをデジタルカメラ１本体に挿したかどうかにより、途中ならばｐ−ｃｈＭＯＳＦＥＴＱ１、Ｑ３をＯＦＦして、ｐ−ｃｈＭＯＳＦＥＴＱ１をＯＮする。最初であれば、コントローラ４は、ｐ−ｃｈＭＯＳＦＥＴＱ１をＯＮする（ステップＳ１１５）。
【００８４】
次に、コントローラ４は、Ａ／Ｄ用スイッチ端子２６をＯＮして、コントローラ４内蔵のＡ／Ｄ変換器４０２またはコントローラ４外付けのＡ／Ｄ変換器４０２に入力されるＡＣアダプタからの電源電圧が正常であるか否かを検査する（ステップＳ１１６）。
【００８５】
検査の結果、異常である場合（ステップＳ１１６／Ｎｏ）、コントローラ４は、カメラ動作を終了し、ＤＣ／ＤＣコンバータ７がＯＮならＯＦＦし、ＯＦＦならそのままにし、ｐ−ｃｈＭＯＳＦＥＴＱ５をＯＦＦして（ステップＳ１２２）、動作を終了する。
【００８６】
コントローラ４は、Ａ／Ｄ用スイッチ端子２６をＯＮしてＡＣアダプタからの電源電圧に問題がなければ、ＤＣ／ＤＣコンバータ７をＯＮしてカメラ動作を行い、コントローラから電源ＯＦＦになるまでカメラ動作を行う（ステップＳ１１７）。
【００８７】
その後、コントローラ４は、電源をＯＦＦする旨の情報が入力されたか否かを判断し（ステップＳ１１８）、電源ＯＦＦの情報が入力されていないと判断された場合（ステップＳ１１８／Ｎｏ）、ステップＳ１１８の処理を繰り返す。電源ＯＦＦの情報が入力されたと判断された場合（ステップＳ１１８／Ｙｅｓ）、コントローラ４は、カメラ動作ＯＦＦ、ＤＣ／ＤＣコンバータ７をＯＦＦ、各電力スイッチ６１〜６３をＯＦＦし（ステップＳ１１９）、動作を終了する。
【００８８】
一方、ＡＣアダプタが接続されていないと判断された場合（ステップＳ１０３／Ｎｏ）、コントローラ４は、接続検出手段１１を動作させ（ステップＳ１０４）、専用電池ＢＡＴＴ１が接続されているか否かを判断する（ステップＳ１０５）。
【００８９】
専用電池ＢＡＴＴ１が接続されていると判断された場合（ステップＳ１０５／Ｙｅｓ）、コントローラ４は、Ａ／Ｄ用スイッチ端子２１をＯＮして、上記と同様にコントローラ４内蔵または外付けのＡ／Ｄ変換器４０２で電源電圧（専用電池ＢＡＴＴ１）が正常であるか否かを検査する（ステップＳ１２０）。
【００９０】
検査の結果、専用電池ＢＡＴＴ１が異常であった場合（ステップＳ１２０／Ｎｏ）、コントローラ４は、ステップＳ１２２の処理を実行してカメラ動作を終了する。
【００９１】
検査の結果、専用電池ＢＡＴＴ１が正常であった場合（ステップＳ１２０／Ｙｅｓ）、コントローラ４は、ｐ−ｃｈＭＯＳＦＥＴＱ１をＯＮし、ＤＣ／ＤＣコンバータ７をＯＮしてカメラ動作を行う（ステップＳ１２１）。
その後、コントローラ４は、電源をＯＦＦする旨の情報が入力されたか否かを判断し（ステップＳ１１３）、電源ＯＦＦの情報が入力されていないと判断された場合（ステップＳ１１３／Ｎｏ）、ステップＳ１０２の処理を実行する。電源ＯＦＦの情報が入力されたと判断された場合（ステップＳ１１３／Ｙｅｓ）、コントローラ４は、カメラ動作ＯＦＦ、ＤＣ／ＤＣコンバータ７をＯＦＦ、各電力スイッチ６１〜６３をＯＦＦし（ステップＳ１１４）、動作を終了する。
【００９２】
また、専用電池ＢＡＴＴ１が接続されていないと判断された場合（ステップＳ１０５／Ｎｏ）、コントローラ４は、接続検出手段１２を動作させて（ステップＳ１０６）、汎用電池ＢＡＴＴ２の検出確認を行う（ステップＳ１０７）。
汎用電池ＢＡＴＴ２が接続されていないと判断された場合（ステップＳ１０７／Ｎｏ）、ステップＳ１０７の処理を実行して動作を終了する。
【００９３】
汎用電池ＢＡＴＴ２が接続されていれば（ステップＳ１０７／Ｙｅｓ）、コントローラ４は、Ａ／Ｄ用スイッチ端子２２をＯＮして、上記と同様にコントローラ４内蔵または外付けのＡ／Ｄ変換器４０２で電源電圧（汎用電池ＢＡＴＴ２）が正常であるか否かを検査する（ステップＳ１０８）。
検査の結果、汎用電池ＢＡＴＴ２が異常であった場合（ステップＳ１０８／Ｎｏ）、コントローラ４は、ステップＳ１２２の処理を実行してカメラ動作を終了する。
【００９４】
検査の結果、汎用電池ＢＡＴＴ２が正常であった場合（ステップＳ１０８／Ｙｅｓ）、コントローラ４は、Ａ／Ｄ用スイッチ端子２３をＯＮして、上記と同様にコントローラ４内蔵または外付けのＡ／Ｄ変換器４０２で電源電圧（汎用電池ＢＡＴＴ２）が正常であるか否かを検査する（ステップＳ１０９）。
検査の結果、汎用電池ＢＡＴＴ２が異常であった場合（ステップＳ１０９／Ｎｏ）、コントローラ４は、ステップＳ１２２の処理を実行してカメラ動作を終了する。
【００９５】
検査の結果、汎用電池ＢＡＴＴ２が正常であった場合（ステップＳ１０９／Ｙｅｓ）、コントローラ４は、Ａ／Ｄ用スイッチ端子２４をＯＮして、上記と同様にコントローラ４内蔵または外付けのＡ／Ｄ変換器４０２で電源電圧（汎用電池ＢＡＴＴ２）が正常であるか否かを検査する（ステップＳ１１０）。
検査の結果、汎用電池ＢＡＴＴ２が異常であった場合（ステップＳ１１０／Ｎｏ）、コントローラ４は、ステップＳ１２２の処理を実行してカメラ動作を終了する。
【００９６】
検査の結果、汎用電池ＢＡＴＴ２が正常であった場合（ステップＳ１１０／Ｙｅｓ）、コントローラ４は、Ａ／Ｄ用スイッチ端子２５をＯＮして、上記と同様にコントローラ４内蔵または外付けのＡ／Ｄ変換器４０２で電源電圧（汎用電池ＢＡＴＴ２）が正常であるか否かを検査する（ステップＳ１１１）。
検査の結果、汎用電池ＢＡＴＴ２が異常であった場合（ステップＳ１１１／Ｎｏ）、コントローラ４は、ステップＳ１２２の処理を実行してカメラ動作を終了する。
【００９７】
検査の結果、汎用電池ＢＡＴＴ２が正常であった場合（ステップＳ１１１／Ｙｅｓ）、コントローラ４は、ｐ−ｃｈＭＯＳＦＥＴＱ３をＯＮし、ＤＣ／ＤＣコンバータ７をＯＮしてカメラ動作を行い（ステップＳ１１２）、電源ＯＦＦの情報が入力されるまでカメラ動作を行う。
【００９８】
以上説明したように、本実施形態によれば、通常ＡＣアダプタ使用時（外部直流電源使用時）に電池寿命を延ばすためにＡＣアダプタが優先使用となる場合、汎用電池の端子電圧測定を停止し、外部直流電源の電圧測定のみを行う。
また、専用電池使用時においても、汎用電池の端子電圧測定を停止し、専用電池の端子電圧測定のみを行う。
従って、電源が正常であるか否かを判定するための電圧測定の動作時間を削減することができ、その動作に要する電力消費を低減させることが可能となる。
また、特に汎用電池と専用電池のどちらか一方の選択使用可能な電気機器では、時間だけでなく端子がオープンのために間違ったデータにより誤動作の可能性がある。このような誤動作を抑制することが可能となる。
【００９９】
また、本実施形態によれば、汎用電池として汎用性の高い単三電池を用いることによりさらにユーザ利便性を向上させることが可能となる。
【０１００】
また、本実施形態によれば、専用電池としてリチウムイオン２次電池を用いることにより、専用電池使用時は一般の電池よりも電力の容量比の大きい電池を用いるのでさらにユーザ利便性を向上させることが可能となる。
【０１０１】
また、本実施形態によれば、電源異常時に電池等からガスが出た場合特に問題の大きい密閉構造のカメラなどの機器を防水構造とすることにより、安全性を高めることが可能となる。
【０１０２】
また、上記の処理は、デジタルカメラ１が有するコンピュータプログラムにより実行されるが、上記のプログラムは、光記録媒体、磁気記録媒体、光磁気記録媒体、または半導体等の記録媒体に記録され、上記の記録媒体からロードされるようにしてもよいし、所定のネットワークを介して接続されている外部機器からロードされるようにしてもよい。
【０１０３】
なお、上記の実施形態は本発明の好適な実施の一例であり、本発明の実施形態は、これに限定されるものではなく、本発明の要旨を逸脱しない範囲において種々変形して実施することが可能となる。
【０１０４】
【発明の効果】
以上説明したように、本発明によれば、電源が正常であるか否かを判定するための電圧測定の動作時間を削減することができ、その動作に要する電力消費を低減させることが可能となる。
【図面の簡単な説明】
【図１】本発明の一実施形態における電圧測定部の構成を示す図である。
【図２】本発明の一実施形態におけるＡ／Ｄ用スイッチ端子の構成を示す図である。
【図３】本発明の一実施形態におけるＡ／Ｄ用スイッチ端子の他の構成を示す図である。
【図４】本発明の一実施形態におけるシステム電源の構成を示す図である。
【図５】本発明の一実施形態における電気機器の全体構成を示す図である。
【図６】本発明の一実施形態における電気機器による動作の流れを示す図である。
【図７】本発明の一実施形態における電機機器による動作の流れを示す図である。
【符号の説明】
１  デジタルカメラ
２  レンズ系
４  コントローラ（ＣＰＵ）
５  ストロボ回路
７  ＤＣ／ＤＣコンバータ
８  音声アンプ部
９  操作部
１１〜１３  接続検出手段
２１〜２５  Ａ／Ｄ用スイッチ端子
３１〜３４  コントローラ電源
４１〜４６  電池電圧測定点
５１〜５３  レギュレータ
６１〜６３  電力スイッチ
２０１  フォーカスレンズ系
２０２  ズームレンズ系
２０３  メカ機構
２０４  フォーカスモータ
２０５  ズームモータ
２０６  絞りモータ
２０７  フォーカスモータドライバ
２０８  ズームモータドライバ
２０９  絞りモータドライバ
２１０  シャッタモータ
２１１  シャッタモータドライバ
３０１  ＴＧ部
３０２  ＣＣＤ（電荷結合素子）
３０３  ＣＤＳ（相関２重サンプリング）回路
３０４  可変利得増幅器（ＡＧＣアンプ）
３０５  Ａ／Ｄ変換器
３０６  ＩＰＰ
３０７  ＲＡＭ（内部メモリ）
３０８  ＤＣＴ
３０９  コーダ
３１０  ＭＣＣ
３１１  カードインタフェース
３１２  ＰＣカード
４０１  フラッシュメモリ（ＥＥＰＲＯＭ）
４０２  コントローラ用Ａ／Ｄ変換器
４０３  コントローラ用Ｄ／Ａ変換器
４０４  システムバスライン
６０１  ＬＣＤドライバ回路
６０２  ＬＣＤ表示部
６０３  補助光ランプ
６０４  補助光ランプ駆動回路
７０１  バッテリ、
７０２  ＡＣアダプタ
９０１  レリーズスイッチ
９０２  モード入力手段
８０１  マイク
８０２  スピーカ
８０３  イヤホン
９０１  レリーズスイッチ
９０２  モード入力手段
１００１  振動モータドライバ
１００２  振動モータ
１００３  ＰＣ
１００４  通信・電源アダプタ
ＢＡＴＴ１  専用電池
ＢＡＴＴ２  汎用電池
ＤＣＩＮ  外部直流電源
Ｄｉ１〜Ｄｉ４  ダイオードＯＲ回路
Ｒ１〜Ｒ１０  ゲート電圧設定抵抗
Ｒ１１、Ｒ１２、Ｒ１７、Ｒ１８  分圧抵抗
Ｒ１３〜Ｒ１６  抵抗
Ｑ１、Ｑ３、Ｑ５、Ｑ７、Ｑ９  ｐ−ｃｈＭＯＳＦＥＴ
Ｑ２、Ｑ４、Ｑ６、Ｑ８、Ｑ１０、Ｑ１２、Ｑ１４  複合トランジスタ
Ｑ１１、Ｑ１３  ＰＮＰトランジスタ
【図１】
2004347379.tif 000003
【図２】
2004347379.tif 000004
【図３】
2004347379.tif 000005
【図４】
2004347379.tif 000006
【図５】
2004347379.tif 000007
【図６】
2004347379.tif 000008
【図７】
2004347379.tif 000009